(57)【要約】【課題】本発明は、例えば携帯電話等、画面を表示する、例えばＬＣＤモジュール等の画面表示部を上部に備えるとともに、下部に、複数のキーが配列されたキー操作部を備えた携帯端末装置に関し、電池を着脱自在とし、かつその電池の部分を含め防水性能を高度に維持する。【解決手段】一対の内部筐体５０，６０を配備し、それらの内部筐体５０，６０で電池を挿抜する開口８０を有する電池室を形成し、内部筐体６０の上にキー操作シート７０を配備し、それら全体を一対の外部筐体８０，９０で覆う。【選択図】      図５
2004296957.tif 000002
【特許請求の範囲】
【請求項１】
画面を表示する画面表示部を上部に備えるとともに、下部に、複数のキーが配列されたキー操作部を備えた携帯端末装置において、
前記画面表示部および前記キー操作部を含む内容物の、それぞれ裏面側および表面側を覆うとともに底部に開口を形成する第１および第２の外部筐体と、
前記第１および第２の外装筐体により形成される内部空間内に配置され、底部から電池がスライド挿入される電池室の、それぞれ前記第１の外装筐体側の内壁面および前記第２の外装筐体側の内壁面を形成するとともに、底部に電池挿抜用の開口を形成する第１および第２の内部筐体と、
前記開口を開閉自在に閉鎖する蓋として作用する第３の外部筐体とを備え、
前記キー操作部は、前記第２の内部筐体の上に設置されてなることを特徴とする携帯端末装置。
【請求項２】
前記第１の外部筐体内側に配置された回路基板を備え、前記画面表示部が該回路基板上部側に配備されたものであって、
前記第１の内部筐体が、前記第１の外部筐体と共同して前記回路基板を覆うとともに前記画面表示部側面を取り巻くものであることを特徴とする請求項１記載の携帯端末装置。
【請求項３】
筐体どうしの合わせ目に充填材が充填されてなることを特徴とする請求項１記載の携帯端末装置。
【請求項４】
前記回路基板上に充填材が塗布されてなることを特徴とする請求項１記載の携帯端末装置。
【請求項５】
前記第３の外部筐体の、前記電池室内壁を形成する壁面にラベルが貼付されもしくは印刷がなされていることを特徴とする請求項１記載の携帯端末装置。
【発明の詳細な説明】
【０００１】
【発明の属する技術分野】
本発明は、例えば携帯電話等、画面を表示するブロック状、例えばＬＣＤモジュール等の画面表示部を上部に備えるとともに、下部に、複数のキーが配列されたシート状のキー操作部を備えた携帯端末装置に関する。
【０００２】
【従来の技術】
近年、携帯電話等の携帯端末装置が広く普及してきており、その中には、様々な付加機能、例えば防水機能が付加された携帯端末装置が存在する。
【０００３】
従来の防水型携帯端末装置の場合、電池パックはその装置の最外周に存在し、その電池を装着した後、さらに外周にカバーを置き、装置を成している。この構造の場合、電池パックの保持および防水のために大面積かつ密閉のための大がかりな機構が必要となり、大型化を招いている。
【０００４】
従来の携帯端末装置の防水構造として様々な技術が提案されている。
【０００５】
例えば特許文献１には、２つの筐体で内容物を覆い、それら２つの筐体の嵌合面にパッキンを嵌め込んだ構造が提案されている。
【０００６】
また、特許文献２には、外側が軟質樹脂、内側が硬質樹脂で形成されたケースが開示されている。
【０００７】
しかしながら、それらの文献には、電池パックを着脱自在とし、かつ防水性能を高度に維持した上で小型化を図る構造は示されていない。
【０００８】
【特許文献１】
特開平１０−７０３７５号公報
【特許文献２】
特開平６−２６８５４８号公報
【０００９】
【発明が解決しようとする課題】
本発明は、上記事情に鑑み、電池を着脱自在とし、かつその電池収納部分を含めて防水性能を高度に維持した携帯端末装置を提供することを目的とする。
【００１０】
【課題を解決するための手段】
上記目的を達成する本発明は、画面を表示する画面表示部を上部に備えるとともに、下部に、複数のキーが配列されたキー操作部を備えた携帯端末装置において、
上記画面表示部および上記キー操作部を含む内容物の、それぞれ裏面側および表面側を覆うとともに底部に開口を形成する第１および第２の外部筐体と、
上記第１および第２の外装筐体により形成される内部空間内に配置され、底部から電池がスライド挿入される電池室の、それぞれ第１の外装筐体側の内壁面および第２の外装筐体側の内壁面を形成するとともに、底部に電池挿抜用の開口を形成する第１および第２の内部筐体と、
上記開口を開閉自在に閉鎖する蓋として作用する第３の外部筐体とを備え、
上記キー操作部は、第２の内部筐体の上に設置されてなることを特徴とする。
【００１１】
本発明の携帯端末装置は、外部筐体の内側に内部筐体を配備したことにより、内部にしっかりとした電池室が確保される。また、この電池室は底部から電池がスライド挿入される構造のものであり、電池室と外部との間の通路が最小限の面積に抑えられ、その通路を容易に塞ぐことができ、防水性能の向上が図られている。
【００１２】
またキー操作部は内部筐体の上に置かれているため、その内部筐体を土台にして操作性の良好なキー操作を行なうことのできるキー操作部を実現している。
【００１３】
ここで、上記本発明の携帯端末装置において、上記第１の外部筐体内側に配置された回路基板を備え、上記画面表示部がその回路基板上部側に配備されたものであって、上記第１の内部筐体が、上記第１の外部筐体と共同して上記回路基板を覆うとともに上記画面表示部側面を取り巻くものであることが好ましい。
【００１４】
このように構成すると、回路基板および画面表示部が筐体で覆われ、防止性能を一段と向上させることができる。
【００１５】
さらに、本発明の携帯端末装置において、筐体どうしの合わせ目に充填材が充填されてなることが好ましく、あるいは、上記回路基板上に充填材が塗布されてなることも好ましい形態である。
【００１６】
こうすることにより、防止性能をさらに向上させることができる。
【００１７】
さらに、本発明の携帯端末装置において、上記第３の外部筐体の、電池室内壁を形成する壁面にラベルが貼付されもしくは印刷がなされていてもよい。
【００１８】
従来、電池が装着される部分の壁面にラベルの貼着等がなされているが、本発明の場合、電池室にはその底部に開口があるだけで、電池室内壁面にラベルを貼着しあるいはそこに印刷を行なうことはできない。本発明では、電池室の開口を塞ぐ蓋として作用する第３の外部筐体を備えているので、その第３の外部筐体内側の、電池室内壁を形成する壁面にラベルを貼付し、あるいは印刷することができる。
【００１９】
【発明の実施の形態】
以下、本発明の実施形態について説明する。ここでは、本発明を適用した、本発明の携帯端末装置の一実施形態としての携帯電話について説明する。
【００２０】
図１は、本発明の一実施形態としての携帯電話を構成するいくつかの部品を示す斜視図である。
【００２１】
この図１には、回路基板１０が示されており、その回路基板１０の最上部には小型スピーカ１１が搭載されており、またその回路基板１０の中央よりも上部寄りの位置にコネクタ１２が固定されている。このコネクタ１２には、ＬＣＤ表示画面（液晶表示画面）２１を有する画像表示モジュール２０の、フレキシブル回路基板からなるコネクタ部分２２が挿入され、その画像表示モジュール２０が、回路基板１０の上部１０ａに配置される。
【００２２】
また、回路基板１０の下部１０ｂには、電話番号等のキー操作のためのキー操作部用のコネクタ１３や、電池（図示せず）と接触して電力の供給を受ける電池接片モジュール１４や、その他いくつかの回路部品１５が示されている。ここでは図示は省略したが、それらの回路部品により取り巻かれた、回路基板１０の下部１０ｂの中央部分にも、多数の回路部品が搭載されている。
【００２３】
ここで、その回路基板１０の下部１０ｂに搭載された回路部品のうちのコネクタ１３には、キー操作部を構成するフレキシブル基板３０のコネクタ部分３１が挿入され、電気的に供給される。
【００２４】
図２は、ここで説明している携帯電話の、図１の次の組立工程を示す分解斜視図である。
【００２５】
ここでは、上記のようにして画像表示モジュール２０が搭載されフレキシブル基板３０がコネクタ１３に差し込まれた状態の回路基板１０の裏面に背面側外部筐体４０があてがわれ、その回路基板１０の表面には、背面側内部筐体５０が載せられる。ここで、背面側外部筐体４０には、その両側部に縦に延びる溝４１が形成されている。
【００２６】
また、背面側内部筐体５０はその上部に、画像表示モジュール２０の周囲を囲む、表裏に貫通した開口５１が形成されており、下部には、電池室を形成する窪み部分５２が形成されている。この窪み部分５２の底部５２ａには壁は無く、そこに電池挿入用の開口が形成される。また、この背面側内部筐体５０の裏面側には、この背面側内部筐体５０を背面側外部筐体４０上に配置したときにそこに回路基板１０を収容するだけのスペースが形成されるよう窪んでいる。さらにこの背面側内部筐体５０には、その両側部に、背面側外部筐体５０の両側部の溝４１に嵌入する鍔５３が形成されている。
【００２７】
回路基板１０の裏面に背面側外部筐体４０があてがわれ、かつその回路基板１０の表面に背面側内部筐体５０が乗せられると、回路基板１０は背面側外部筐体４０の内面と背面側内部筐体５０の裏面との間に挟まれて密封された状態となり、さらに、その回路基板１０に搭載された画像表示モジュール２０の周囲が背面側内部筐体５０の上部の開口５１を形成している壁で取り囲まれた状態となる。
【００２８】
図３は、図２の次の組立工程を示す分解斜視図である。
【００２９】
図２を参照して説明したようにして背面側外部筐体４０と背面側内部筐体５０とで回路基板１０（図２参照）を挟んだ後、背面側内部筐体５０の、電池室を形成するための窪み部分５２が形成された下部に重なるように、表面側内部筐体６０が積み重ねられる。この表面側内部筐体６０は、その表面側に、キー操作部（ここでは図示せず）が配置される窪み部分６１が形成され、裏面側には、背面側内部筐体５０の窪み部分５２と共同して電池室を画定する窪み部分６２が形成されている。この電池室側の窪み部分６２の底部６２ａには壁がなく、背面側内部筐体５０の底部と一体となって電池室に電池を挿抜するための開口が形成される。
【００３０】
図４は、図３の次の組立工程を示す分解斜視図である。
【００３１】
図３に示すようにして、背面側内部筐体５０の上に表面側内部筐体６０を乗せた後、その表面側内部筐体６０の、表面側の窪み部分６１に、先ずは、キー操作部を構成するフレキシブル基板３０が載置され、さらにその上に、そのフレキシブル基板３０上の接点をオン，オフするための、同じくキー操作部を構成するキー操作シート７０が載置される。
【００３２】
この図４には、底部に、背面側内部筐体５０と表面側内部筐体６０との共同で形成された、電池室に電池を挿抜するための開口８０が示されている。
【００３３】
図５は、図４の次の組立工程を示す分解斜視図である。
【００３４】
図４に示すようにして、表面側内部筐体６０の上に、フレキシブル基板３０とキー操作シート７０とからなるキー操作部を配置した後、さらにその上に、表面側外部筐体９０が置かれる。その表面側外部筐体９０の、画面表示モジュール２０（図１〜図４参照）に対応する上部側には、透明プラスチック板が嵌め込まれた表示窓９１が形成されており、フレキシブル基板３０とキー操作シート７０とからなるキー操作部（図４参照）に対応する下部側には、押圧によりキー操作シート７０に圧力を与えてフレキシブル基板３０上の接点を導通させる操作子が配列されている。
【００３５】
図６は、図５の次の組立工程を示す斜視図である。
【００３６】
この図６には、図５に示す組立工程までで組み立てられた本体１００と蓋体１１０が示されている。本体１００の底部には、背面側内部筐体５０と表面側内部筐体６０とで共同して形成された電池挿抜用の開口８０と、その開口８０を取り巻くように、背面側外部筐体４０と表面側外部筐体９０とで形成された開口８１が形成されており、背面側外部筐体４０と表面側外部筐体９０とで形成される開口８１内に、背面側内部筐体５０と表面側内部筐体６０とで形成される電池挿抜用の開口８０が入り込んだ形となっている。
【００３７】
また、蓋体１１０は、本体１００に形成された電池挿抜用の開口８０を開閉自在に塞ぐものであり、この蓋体１１０の一端にはフック１１１が設けられており、他端には、留め金具１１２が形成されている。
【００３８】
これまで説明してきた図１〜図５では、蓋体１１０を係止するための係止部は図示省略されているが、この図６には、蓋体１１０の留め金具１１２を係止するための係止部１０２が示されている。
【００３９】
図７は、その蓋体の留め金具の部分を別の角度から示した図、図８は、その蓋体をさらに別の角度から示した図である。この蓋体１１０のフック１１１側の部分は、その蓋体１１０を本体１００の底部に着脱する際の便宜のために、力を加えると図８に示すように湾曲する柔軟性を有している。
【００４０】
図９は、本体１００への蓋体１１０の取付方法を示した図である。
【００４１】
本体１００の側面には、蓋体１１０のフック１１１を係止するための係止部１０１が設けられており、また本体１００のもう一方の側面には、蓋体１１０の留め金具１１２を係止するための係止部１０２が設けられている。
【００４２】
蓋体１１０を本体１００の底部に装着するには、図９（Ａ）に示すように蓋体１１０のフック１１１を本体１００の係止部１０１に係止させて蓋体１１０で本体１００の底部を覆い、蓋体１１０の留め金具１１２を本体１００の係止部１０２に係止させる。こうしておいて図９（Ｂ）、さらに図９（Ｃ）に示すようにして、留め金具１１２のレバー１１２ａを本体１００に接する位置まで回わす。
【００４３】
一方、本体１００に蓋体１１０が取り付けられた状態からその蓋体１１０を取り外すには、図９（Ｃ）の状態にある留め金具１１２のレバー１１２ａを、図９（Ｃ）の状態から図９（Ｂ）、さらに図９（Ａ）のように回わし、その留め金具１１２を係止部１０５から外す。留め金具１１２を係止部１０２から外すと、その蓋体１１０のフック１１１を係止部１０１から外さなくても、図８に示す柔軟性を利用して、開口８０（図６参照）を開き、電池を電池室に挿入し、あるいは電池室内の電池を取り出すことができる。さらに、蓋体１１０のフック１１１を本体１００の係止部１０１から外すと、蓋体１１０を本体１００から分離することができる。
【００４４】
図１０は、蓋体１１０の、電池室内壁を形成する内壁面に貼付されたラベルを示す図である。
【００４５】
このラベルは、蓋体１１０を図８に示す矢印の方向から見たときに視認することができるものである。
【００４６】
この携帯電話の場合、電池室は蓋体１１０を外したとき、開口８０（図６参照）の部分のみ、外部にあらわれており、従来のように電池室内の電池を乗せる台の上にラベルを貼付することはできない。そこで、ここでは、蓋体１１０の内壁面を利用し、そこに規格や型番等を示すラベルを貼付したものである。ラベルに代わり、規格や型番等を印刷する場合も同様である。
【００４７】
図１１は、図６の矢印Ｘ−Ｘに沿って断面したときの部分断面拡大図である。
【００４８】
背面側外部筐体４０の溝４１（図２参照）には、背面側内部筐体５０の鍔５３が嵌入しており、また、その背面側外部筐体４０と背面側内部筐体５０との間には回路部品を搭載した回路基板１０が配置されている。また背面側外部筐体４０の上には、その外形が連続するようにして表面側外部筐体９０が配置されている。
【００４９】
ここで、背面側外部筐体４０の最外周の、表面側外部筐体９０と接する面には図１１の紙面に垂直な方向に延びる溝４３が形成されており、これと同様に、表面側外部筐体９０の最外周の、背面側外部筐体４０と接する面には、図１１の紙面に垂直な方向に延びる溝９３が形成されており、それらの溝４３，９３の内部には、組立時に、防水性の充填材１２０が充填されている。また、これと同様に背面側外部筐体４０の、背面側内部筐体５０の鍔５３が入り込む溝４１（図２参照）にも、組立にあたり、防水性の充填材１２０が充填されている。
【００５０】
さらに、回路基板１０に搭載された回路部品を覆うように、防水性の、かつ軽量化を図るために発泡系の充填材１２１が充填されている。
【００５１】
このようにして、筐体と筐体との合わせ目や回路基板上を充填材で埋めることにより、防水性能をさらに格段に向上させることができる。
【００５２】
尚、ここでは、本発明の携帯端末装置の一例として携帯電話について示したが、本発明の携帯端末装置は携帯電話に限られるものではなく、ＰＨＳ（Ｐｅｒｓｏｎａｌ  Ｈａｎｄｙｐｈｏｎｅ  Ｓｙｓｔｅｍ）やＰＤＡ（ＰｅｒｓｏｎａｌＤｉｇｉｔａｌ  Ａｓｓｉｓｔａｎｔｓ）等にも本発明を適用することができる。
【００５３】
【発明の効果】
以上説明したように、本発明によれば、電池を着脱自在とし、かつ防水性能を高度に維持することができる。
【図面の簡単な説明】
【図１】本発明の一実施形態としての携帯電話を構成するいくつかの部品を示す斜視図である。
【図２】ここで説明している携帯電話の、図１の次の組立工程を示す分解斜視図である。
【図３】図２の次の組立工程を示す分解斜視図である。
【図４】図３の次の組立工程を示す分解斜視図である。
【図５】図４の次の組立工程を示す分解斜視図である。
【図６】図５の次の組立工程を示す斜視図である。
【図７】蓋体の留め金具の部分を別の角度から示した図である。
【図８】蓋体をさらに別の角度から示した図である。
【図９】本体への蓋体の取付方法を示した図である。
【図１０】蓋体の、電池室内壁を形成する内壁面に貼付されたラベルを示す図である。
【図１１】図６の矢印Ｘ−Ｘに沿って断面したときの部分断面拡大図である。
【符号の説明】
１０  回路基板
１０ａ  上部
１０ｂ  下部
１１  小型スピーカ
１２  コネクタ
１３  コネクタ
１４  電池接片モジュール
１５  回路部品
２０  画像表示モジュール
２１  ＬＣＤ表示画面（液晶表示画面）
２２  コネクタ部分
３０  フレキシブル基板
３１  コネクタ部分
４０  背面側外部筐体
４１  溝
４３  溝
５０  背面側内部筐体
５１  開口
５２  窪み部分
５２ａ  底部
５３  鍔
６０  表面側内部筐体
６１  窪み部分
６２  窪み部分
６２ａ  底部
７０  キー操作シート
８０  開口
９０  表面側外部筐体
９１  表示窓
９３  溝
１００  本体
１０１  係止部
１０２  係止部
１１０  蓋体
１１１  フック
１１２  留め金具
１２０  充填材
１２１  充填材
【図１】
2004296957.tif 000003
【図２】
2004296957.tif 000004
【図３】
2004296957.tif 000005
【図４】
2004296957.tif 000006
【図５】
2004296957.tif 000007
【図６】
2004296957.tif 000008
【図７】
2004296957.tif 000009
【図８】
2004296957.tif 000010
【図９】
2004296957.tif 000011
【図１０】
2004296957.tif 000012
【図１１】
2004296957.tif 000013